(57)【要約】【課題】無駄な消費電力を抑えることができる情報表示装置を提供する。【解決手段】発光制御回路１２から発光パターン信号として１周期に１つのパルスからなる信号がヘッドホン２０へ出力され、ヘッドホン２０に取り付けられた発光部２７で光に変換して携帯端末１０の受光部１５へ出力されて、比較部１６で、発光制御回路１２が出力した発光パターン信号と受光部１５が受光した受光パターン信号とを比較して発光パターン信号の発光タイミングと受光パターン信号の受光タイミングとが一致している場合は、電源制御部１７が表示部１８の表示を明るくさせ、一致していない場合は、表示部１８の表示を暗くさせる。【選択図】図３
2011197169.tif 000002
【特許請求の範囲】
【請求項１】
映像などを表示可能な表示手段および操作手段を備えた情報表示装置において、
使用者の頭部に装着され、入力信号に応じて発光し、光を出力する発光手段と、
前記発光手段を周期的に発光させるための発光タイミングを示す発光パターン信号を生成し、前記入力信号として前記発光手段に出力する発光パターン信号出力手段と、
前記発光手段により出力された光を受光し、受光タイミングを示す受光パターン信号を出力する受光手段と、
前記発光パターン信号出力手段によって出力された発光パターン信号と前記受光手段によって出力された受光パターン信号とを比較し、前記発光タイミングと前記受光タイミングとが一致するか否かを判断する判断手段と、
前記判断手段が、前記発光タイミングと前記受光タイミングとが一致していると判断した場合に前記表示手段の表示を明るくさせ、前記発光タイミングと前記受光タイミングとが一致していないと判断した場合に前記表示手段の表示を暗くさせるように前記表示手段の表示を制御する表示制御手段と、
を備えたことを特徴とする情報表示装置。
【請求項２】
前記発光手段が、ヘッドホン装置に設けられ、
前記発光パターン信号出力手段が出力する前記発光パターン信号を音声信号に重畳して前記ヘッドホン装置に出力する出力手段と、
前記ヘッドホン装置に設けられ、前記出力手段が出力した音声信号から前記発光パターン信号を分離する第一分離手段と、
を備えていることを特徴とする請求項１に記載の情報表示装置。
【請求項３】
前記受光手段が、外部の照度を検出する照度検出手段を兼ね、
前記受光手段の受光結果から前記受光パターン信号と前記外部の照度を示す信号とを分離する第二分離手段を備えている
ことを特徴とする請求項１または２に記載の情報表示装置。
【請求項４】
前記表示制御手段が、前記判断手段が前記発光タイミングと前記受光タイミングとが一致していることを連続して複数回検出した場合に前記表示手段の表示を明るくすることを特徴とする請求項１乃至３のうちいずれか一項に記載の情報表示装置。
【請求項５】
前記表示制御手段が、前記判断手段が前記発光タイミングと前記受光タイミングとが一致していることを連続して検出した回数に応じて前記表示手段の表示を徐々に明るくすることを特徴とする請求項４に記載の情報表示装置。
【請求項６】
前記表示制御手段が、前記判断手段が前記発光タイミングと前記受光タイミングとが一致していないことを連続して複数回検出した場合に前記表示手段の表示を暗くすることを特徴とする請求項１乃至５のうちいずれか一項に記載の情報表示装置。
【請求項７】
前記表示制御手段が、前記判断手段が前記発光タイミングと前記受光タイミングとが一致していないことを連続して検出した回数に応じて前記表示手段の表示を徐々に暗くすることを特徴とする請求項６に記載の情報表示装置。
【請求項８】
前記判断手段が前記発光タイミングと前記受光タイミングとが一致していると判断した場合に前記操作手段による操作を行えるようにし、前記判断手段が前記発光タイミングと前記受光タイミングとが一致していないと判断した場合に前記操作手段による操作を制限する操作制御手段を備えたことを特徴とする請求項１乃至７のうちいずれか一項に記載の情報表示装置。
【発明の詳細な説明】
【技術分野】
【０００１】
本発明は、映像などを表示する表示手段を備えた情報表示装置に関する。
【背景技術】
【０００２】
携帯電話やメディアプレーヤなどの携帯型の情報表示装置は、バッテリにより駆動されるのでできる限り消費電力を抑えることが求められる。そのため、例えば、表示手段の表示時間を設定し、操作などによって表示手段がＯＮになってから設定時間が経過した場合は自動的に表示手段をＯＦＦにするといった機能が提案され搭載されている。
【０００３】
しかしながら、設定時間の経過で表示手段をＯＦＦにする場合、設定時間が短すぎると操作中に表示がＯＦＦしてしまうことがあったり、逆に長すぎると無駄な電力を消費してしまうという問題があった。
【０００４】
また、操作などにより表示装置をＯＮにする場合、当該装置をポケットや鞄に入れた際に誤ってボタン等が押されて表示装置がＯＮになってしまうことがあり、やはり無駄な電力を消費してしまうという問題があった。
【０００５】
そこで、使用者が表示手段を視認している場合にのみ表示すれば、必要なときにのみ表示を行うことができるため消費電力を抑えることができる。例えば、特許文献１には、使用者の頭部にレーザ発信装置を取り付けて、そのレーザ発信装置から出力されたレーザをレーザ受信装置で受信することで顔が向いていることを検出して表示手段を表示させる情報表示装置が記載されている。
【先行技術文献】
【特許文献】
【０００６】
【特許文献１】特開２００８−２９２７５３号公報
【発明の概要】
【発明が解決しようとする課題】
【０００７】
しかしながら、特許文献１に記載された情報表示装置では、レーザ発信装置から出力されるレーザは常時ＯＮ状態（常時点灯状態）であるので、そのまま適用すると消費電力が大きくなってしまうという問題がある。
【０００８】
そこで、本発明は、例えば、無駄な消費電力を抑えることができる情報表示装置を提供することを課題とする。
【課題を解決するための手段】
【０００９】
上記課題を解決するために、請求項１に記載の情報表示装置は、映像などを表示可能な表示手段および操作手段を備えた情報表示装置において、使用者の頭部に装着され、入力信号に応じて発光し、光を出力する発光手段と、前記発光手段を周期的に発光させるための発光タイミングを示す発光パターン信号を生成し、前記入力信号として前記発光手段に出力する発光パターン信号出力手段と、前記発光手段により出力された光を受光し、受光タイミングを示す受光パターン信号を出力する受光手段と、前記発光パターン信号出力手段によって出力された発光パターン信号と前記受光手段によって出力された受光パターン信号とを比較し、前記発光タイミングと前記受光タイミングとが一致するか否かを判断する判断手段と、前記判断手段が、前記発光タイミングと前記受光タイミングとが一致していると判断した場合に前記表示手段の表示を明るくさせ、前記発光タイミングと前記受光タイミングとが一致していないと判断した場合に前記表示手段の表示を暗くさせるように前記表示手段の表示を制御する表示制御手段と、を備えたことを特徴としている。
【図面の簡単な説明】
【００１０】
【図１】本発明の第１の実施例にかかる情報表示装置の外観図である。
【図２】図１に示された情報表示装置の上方から見た外観図である。
【図３】図１に示された情報表示装置のブロック図である。
【図４】図１に示された情報表示装置の比較部内の波形図である。
【図５】波形パターン信号の例である。
【図６】図１に示された情報表示装置の他の構成の外観図である。
【図７】本発明の第２の実施例にかかる情報表示装置のブロック図である。
【図８】３Ｄ映像表示装置と３Ｄメガネを用いた場合の構成を示す説明図である。
【図９】受光部を照度センサが兼ねた場合の構成を示したブロック図である。
【図１０】受光部を照度センサが兼ねた場合の構成を示した波形図である。
【発明を実施するための形態】
【００１１】
以下、本発明の一実施形態にかかる情報表示装置を説明する。本発明の一実施形態にかかる情報表示装置は、発光パターン信号出力手段から発光パターン信号が使用者の頭部に装着された発光手段へ出力され、発光手段で発光パターン信号を光に変換して受光手段へ出力して、判断手段で、発光パターン信号出力手段が出力した発光パターン信号と受光手段が受光した受光パターン信号とを比較して発光タイミングと受光タイミングとが一致している場合は、表示制御手段が表示手段の表示を明るくさせ、発光タイミングと受光タイミングとが一致していない場合は、表示制御手段が表示手段の表示を暗くさせているので、例えば小さいパルス幅からなる複数のパルス信号や高周波の複数のサイン波からなる信号などの発光パターン信号として出力することでレーザ光を常時出力状態としないために消費電力を抑えることができる。
【００１２】
また、判断手段で、発光パターン信号出力手段が出力した発光パターン信号の発光タイミングと受光手段が受光した受光パターン信号の受光タイミングとが一致しているかを検出しているので、自身が出力した信号が戻ってきているかを検出することとなり、その装置を使用している使用者が表示手段を視認していることを確実に識別することができる。そのため、使用者が視認しているときのみ表示を行うことができる。さらに、使用者が視認していない場合に他人から覗き見されるといったことも防止することができる。
【００１３】
また、発光手段が、ヘッドホン装置に設けられ、発光パターン信号出力手段が出力する発光パターン信号を音声信号に重畳してヘッドホン装置に出力する出力手段と、ヘッドホン装置に設けられ、出力手段が出力した音声信号から発光パターン信号を分離する第一分離手段と、を備えてもよい。このようにすることにより、頭部に装着されるヘッドホン装置に発光手段を取り付けることができ、また、発光パターン信号も音声信号に重畳することで、新たなコネクタや信号線等を追加することなく発光パターン信号を伝送することができる。
【００１４】
また、受光手段が、外部の照度を検出する照度検出手段を兼ね、受光手段が受光した結果から受光パターン信号と外部の照度を示す信号とを分離する第二分離手段を備えてもよい。このようにすることにより、装置が照度検出手段を備えている場合は新たに受光手段を設ける必要が無くなる。
【００１５】
また、表示制御手段が、判断手段が発光タイミングと受光タイミングとが一致していることを連続して複数回検出した場合に表示手段の表示を明るくしてもよい。このようにすることにより、使用者が確実に視認していることを検出してから表示手段を明るくすることができ、誤検出を少なくして無駄な電力の消費を抑えることができる。
【００１６】
また、表示制御手段が、判断手段が発光タイミングと受光タイミングとが一致していることを連続して検出した回数に応じて表示手段の表示を徐々に明るくしてもよい。このようにすることにより、視認時間に応じて表示手段を明るくすることができ、短時間の視認の際にはあまり明るくしないようにして無駄な電力の消費を抑えることができる。
【００１７】
また、表示制御手段が、判断手段が発光タイミングと受光タイミングとが一致していないことを連続して複数回検出した場合に表示手段の表示を暗くしてもよい。このようにすることにより、使用者が確実に視認していないことを検出してから表示手段を暗くすることができ、誤検出を少なくして不快感を持たせないようにすることができる。
【００１８】
また、表示制御手段が、判断手段が発光タイミングと受光タイミングとが一致していないことを連続して検出した回数に応じて表示手段の表示を徐々に暗くしてもよい。このようにすることにより、視認しなくなった時間に応じて表示手段を暗くすることができ、短時間顔を背けた場合などではあまり暗くしないようにして不快感を持たせないようにすることができる。
【００１９】
また、判断手段が、発光タイミングと受光タイミングとが一致していると判断した場合に操作手段による操作を行えるようにし、発光タイミングと受光タイミングとが一致していないと判断した場合に操作手段による操作を制限する操作制御手段を備えてもよい。このようにすることにより、表示手段だけでなく使用者が視認していない場合は操作手段の操作も制限することができるので、ポケットや鞄に入れた際に誤って操作させて無駄な電力を消費することを少なくすことができる。さらに、使用者以外が勝手に操作することも防止することができる。
【実施例１】
【００２０】
本発明の第１の実施例にかかる情報表示装置３０を図１乃至図６を参照して説明する。情報表示装置３０は、図１乃至図３に示すように携帯端末１０とヘッドホン２０から構成されている。
【００２１】
携帯端末１０は、図１や図３に示すように、音声出力部１１と、発光制御回路１２と、加算器１３と、ステレオミニジャック１４と、受光部１５と、比較部１６と、電源制御部１７と、表示部１８と、表示制御部１９と、中央制御部１ａと、操作部１ｂと、を備えている。
【００２２】
音声出力部１１は、携帯端末１０内部に記憶された音楽などのステレオ音声信号をステレオミニジャック１４や加算器１３へ出力する。なお、音声出力部１１は、外部から図示しないアンテナなどによって音楽などを受信してステレオ音声信号を出力してもよい。
【００２３】
発光パターン信号出力手段としての発光制御回路１２は、発光部２７を周期的に発光させるための発光タイミングを示す予め定めた所定の発光パターン信号を生成し加算器１３および比較部１６へ出力する。本実施例では発光パターン信号として図４に示すような所定時間間隔に１波を出力する発光パターンとしてパルス幅が周期に対して小さい１つのパルス信号を周期的（例えば１秒周期）に出力している。
【００２４】
出力手段としての加算器１３は、音声出力部１１が出力したステレオ音声信号のうち左側チャンネルの音声信号に発光制御回路１２が出力した波形パターン信号を重畳してステレオミニジャック１４に出力する。
【００２５】
ステレオミニジャック１４は、携帯端末１０の筐体に設けられ、ヘッドホン２０のステレオミニプラグ２１が挿入される雌型コネクタであり、音声出力部１１や加算器１３から出力されたステレオ音声信号をヘッドホン２０へ出力する。
【００２６】
受光手段としての受光部１５は、携帯端末１０の筐体の表示部１８近傍の同一平面上に設けられ、ヘッドホン２０の後述する発光部２７から出力された光を受光して受光タイミングを示す受光パターン信号に変換し比較部１６に出力する。
【００２７】
判断手段としての比較部１６は、発光制御回路１２が出力した発光パターン信号と受光部１５が出力した受光パターン信号とを比較し、比較結果を電源制御部１７へ出力する。
【００２８】
表示制御手段としての電源制御部１７は、比較部１６の比較結果に応じて、表示部１８の明るさや電源のＯＮ／ＯＦＦを制御する。
【００２９】
表示手段としての表示部１８は、図示しないテレビチューナーや、前記した音楽とともに内部に記憶された映像あるいは使用者１００が操作するための操作画面などを表示する。また、表示部１８は例えば液晶表示装置などにより構成され、電源制御部１７により画面の明るさ（バックライト）や電源のＯＮ／ＯＦＦを制御される。
【００３０】
表示制御部１９は、前記したテレビチューナーや操作画面などの映像信号を中央制御部１ａからの制御により表示部１８に出力する。
【００３１】
中央制御部１ａは、操作部１ｂの操作に応じて音声出力部１１や表示制御部１９などを制御する。
【００３２】
操作手段としての操作部１ｂは、複数のボタン等から構成され、携帯端末１０の操作に使用される。
【００３３】
ヘッドホン装置としてのヘッドホン２０は、図１乃至図３に示すように、ステレオミニプラグ２１と、ケーブル２２と、Ｒイヤーパッド２３と、ＬＰＦ２４と、Ｌイヤーパッド２５と、ＨＰＦ２６と、発光部２７と、ヘッドバンド２８と、を備えている。
【００３４】
ステレオミニプラグ２１は、ケーブル２２の一端部に設けられ、携帯端末１０のステレオミニジャック１４に挿入される雄型コネクタであり、ステレオミニジャック１４から出力されたステレオ音声信号をケーブル２２へ出力する。
【００３５】
ケーブル２２は、一端部にステレオミニプラグ２１が、他端部にはＲイヤーパッド２３やＬＰＦ２４およびＨＰＦ２６が接続され、ステレオミニプラグ２１から出力されたステレオ音声信号をＲイヤーパッド２３やＬＰＦ２４およびＨＰＦ２６に出力する。
【００３６】
Ｒイヤーパッド２３は、使用者１００の右側の耳に装着されるスピーカ部であり、ステレオ音声信号の右チャンネルを音に変換して放音する。
【００３７】
ＬＰＦ２４は、ローパスフィルタ回路であり、発光パターン信号が重畳されたステレオ音声信号の左側チャンネルの信号から音声信号成分のみを通過させてＬイヤーパッド２５に出力する。なお、ＬＰＦ２４は、発光パターン信号が可聴周波数以上の高周波である場合は設けなくてもよい。
【００３８】
Ｌイヤーパッド２５は、使用者１００の左側の耳に装着されるスピーカ部であり、ステレオ音声信号の左チャンネルを音に変換して放音する。
【００３９】
第一分離手段としてのＨＰＦ２６は、ハイパスフィルタ回路であり、発光パターン信号が重畳されたステレオ音声信号の左側チャンネルの信号から発光パターン信号成分のみを通過させて発光部２７に出力する。なお、ＨＰＦ２６は、発光パターン信号の属する周波数帯域のみを通過させるバンドパスフィルタとしてもよい。
【００４０】
発光手段としての発光部２７は、ＨＰＦ２６から入力された発光パターン信号を光に変換し出力する。なお、発光部２７は、発光ダイオードやレーザダイオードを光源とし、出力される光は、所定の指向性をもつ光であって、赤外光などの不可視光だけでなく可視光を用いてもよい。
【００４１】
ヘッドバンド２８は、Ｒイヤーパッド２３とＬイヤーパッド２５を接続する略アーチ状のバンドである。ヘッドバンド２８は、図１や図２に示すように使用者１００が装着した際の頭頂部近傍（Ｒイヤーパッド２３とＬイヤーパッド２５の中間付近）に発光部２７が使用者１００から正面方向に光が出力されるように取り付けられている。
【００４２】
次に、上述した構成の情報表示装置３０において、使用者１００の顔が携帯端末１０の表示部１８に向いていること（視認していること）の検出動作について図４のタイミングチャートを参照して説明する。図４に示したタイミングチャートは、発光制御回路１２から出力される発光パターン信号（Ａ）と、受光部１５が受光した受光パターン信号（Ｂ）と、Ａ信号とＢ信号との論理積（Ａ＆Ｂ）信号と、顔向き判断を示す信号と、を示したタイミングチャートである。
【００４３】
上述したように発光制御回路１２から出力される発光パターン信号（Ａ）は、加算器１３でステレオ音声信号に重畳されてヘッドホン２０に出力され、ヘッドホン２０では、ＨＰＦ２６でステレオ音声信号から分離されて発光部２７で光に変換されて受光部１５で受光して受光パターン信号（Ｂ）として再度携帯端末１０へ戻ってくる。そして、比較部１６では、Ａ信号とＢ信号との論理積をとることで、Ａ信号における発光タイミングとＢ信号における受光タイミングとが一致しているか否かを判断して、論理積の結果肯定出力がされた場合は、使用者１００の顔が携帯端末１０の表示部１８へ向いている（使用者１００が表示部１８を視認している）と判定する。
【００４４】
ここで、Ａ信号における発光タイミングとＢ信号における受光タイミングが一致しているとは、Ａ信号とＢ信号が位相まで完全に一致するという意味ではなく、Ａ信号がヘッドホン２０を介して比較部１６に戻ってくるまでの遅延等を考慮して論理積をとった場合に肯定出力ができる程度のタイミングを意味している。したがって、パルス幅もこれら遅延等を考慮して定める必要がある。但し、図４で示したように、パルス信号の周期は、顔向きの検知という目的からミリ秒やマイクロ秒などの短い周期である必要は無く１秒程度でよい。それに対して、パルス幅は、前記遅延等を考慮しつつ音声信号に重畳することから音声信号の周波数帯域よりも高い帯域を使用するような幅とするため、デューティ比は非常に小さい値となる。つまり、発光部２７における点灯時間が非常に短くなる。
【００４５】
比較部１６で使用者１００の顔が携帯端末１０の表示部１８へ向いていると判定すると、顔向き判断を示す信号が、“Ｈｉｇｈ”レベルになり、その信号が電源制御部１７に出力される。電源制御部１７では、顔向き判断を示す信号が、“Ｈｉｇｈ”の場合は表示部１８のバックライトをＯＮにして表示部１８を明るくし、表示部１８に表示される映像等を視認できるようにする。
【００４６】
また、比較部１６で論理積が否定出力の場合は、比較部１６は使用者１００の顔が携帯端末１０の表示部１８へ向いていないと判定し、顔向き判断を示す信号が、“Ｌｏｗ”レベルになり、その信号が電源制御部１７に出力される。電源制御部１７では、顔向き判断を示す信号が、“Ｌｏｗ”の場合は表示部１８のバックライトをＯＦＦにして表示部１８を暗くし、表示部１８に表示される映像等を視認できないようにする。
【００４７】
なお、電源制御部１７による表示部１８の制御はバックライトに限らず、表示部１８全体の電源のＯＮ／ＯＦＦ制御としてもよい。勿論この場合でもステレオ音声信号は出力されるので使用者１００は少なくとも音声のみは視聴できる。
【００４８】
本実施例によれば、発光制御回路１２から発光パターン信号として１周期に１つのパルスからなる信号がヘッドホン２０へ出力され、ヘッドホン２０に取り付けられた発光部２７で光に変換して携帯端末１０の受光部１５へ出力されて、比較部１６で、発光制御回路１２が出力した発光パターン信号と受光部１５が受光した受光パターン信号とを比較して発光パターン信号の発光タイミングと受光パターン信号の受光タイミングとが一致している場合は、電源制御部１７が表示部１８の表示を明るくさせ、一致していない場合は、表示部１８の表示を暗くさせているので、小さいパルス幅を出力することで光として常時出力状態としないため消費電力を抑えることができる。
【００４９】
また、比較部１６で、発光制御回路１２が出力した発光パターン信号の発光タイミングと受光部１５が受光した受光パターン信号の受光タイミングとが一致しているかを検出しているので、その携帯端末１０を使用している使用者１００が表示部１８を視認していることを確実に識別することができる。そのため、使用者１００が視認しているときのみ表示を行うことができる。さらに、使用者１００が視認していない場合に他人から覗き見されるといったことも防止することができる。
【００５０】
また、発光部２７が、ヘッドホン２０に設けられ、発光制御回路１２が出力する発光パターン信号を加算器１３がステレオ音声信号の左チャンネルに重畳してヘッドホン２０に出力し、このステレオ音声信号の左チャンネルからＨＰＦ２６で発光パターン信号を分離しているので、頭部に装着されるヘッドホン２０に発光部２７を取り付けることができ、また、発光パターン信号もステレオ音声信号に重畳することで、新たなコネクタや信号線等を追加することなく発光パターン信号を伝送することができる。
【００５１】
なお、上述した実施例では、発光パターン信号として１周期に１つのパルスからなる信号としたが、パルスに限らず、図５に示したような波形を用いてもよい。図５（ａ）は上述したパルス信号である。（ｂ）は振幅がプラス側に立ち上がるパルス信号とマイナス側に立ち下がるパルス信号を組み合せた信号である。（ｃ）はサイン波である、（ｄ）は複数のサイン波から構成された信号である。また、複数のパルス信号から構成された信号やこれらを組み合わせた信号などを用いてもよいし、周期も複数の周期からなる波形パターンとしてもよい。
【００５２】
また、上述した実施例では、Ｒイヤーパッド２３とＬイヤーパッド２５をヘッドバンド２８で接続したヘッドホン２０を用いたが、図６に示すようなヘッドバンドを使用しないイヤホン２０´としてもよい。この場合発光部２７は、例えばＬイヤーパッド２５に設ける。なお、イヤーパッドに発光部２７を設ける場合は、レーザ光が使用者１００の視線と合うように顔の中心方向に向かって傾けて取り付ける。
【実施例２】
【００５３】
次に、本発明の第２の実施例にかかる情報表示装置３０´を図７を参照して説明する。なお、前述した第１の実施例と同一部分には、同一符号を付して説明を省略する。
【００５４】
本実施例は、携帯端末１０´と、頭部装着部５０と、で構成されている。本実施例は携帯端末１０´と頭部装着部５０とが無線で接続されている点が第１の実施例と異なる。そのため、携帯端末１０´には発光部４１が、頭部装着部５０には受光部５１が設けられている。
【００５５】
発光部４１は、発光制御回路１２が出力した発光パターン信号を光に変換して頭部装着部５０へ出力する。受光部５１は、発光部４１が出力した光を受光して発光パターン信号に変換し発光部２７へ出力する。
【００５６】
本実施例において、頭部装着部５０は第１の実施例と同様にヘッドホンで構成してもよいが、音声信号の伝送は別途無線で行う必要がある。
【００５７】
本実施例によれば、携帯端末１０´には発光部４１が、頭部装着部５０には受光部５１が設けられているので、携帯端末と頭部装着部５０の間にケーブル等の有線による接続を必要としない。また、この場合でも携帯端末１０´と頭部装着部５０との間は常時発光ではないために、発光部４１や受光部５１を新たに設けても消費電力の増加を極力抑えることができる。
【００５８】
なお、上述した実施例では、携帯端末１０や１０´に表示部１８を設けた情報表示装置３０や３０´で説明したが、例えば据え置き型のテレビ受像機に図３の携帯端末１０の構成を内蔵させてもよい。この場合はテレビ受像機へ使用者１００が顔を向けているときだけ表示されるため、テレビ受像機の消費電力を削減することができる。また、テレビ受像機などが３Ｄ映像を表示できる場合は、図８に示すように３Ｄ映像を視聴するために使用するメガネ６０に発光部２７を設け、テレビ受像機などの３Ｄ映像表示装置７０に受光部１５を設けることで、ヘッドホン以外に頭部へ装着する機器を発光手段として利用することができる。
【００５９】
また、携帯端末１０などに設けられる受光部１５は、外部の照度を検出する照度検出手段としての照度センサが兼ねてもよい。この場合の構成の一部を図９に、波形図を図１０に示す。図９に示したように、受光部１５´は照度センサを兼ね、受光部１５´の出力は第二分離手段としての高域通過フィルタ８１と低域通過フィルタ８２に出力される。高域通過フィルタ８１では受光パターン信号のみを通過（分離）させて比較部１６へ出力し、低域通過フィルタ８２では照度信号のみを通過（分離）させて図示しない照度制御部へ出力する。このようにすることで、図１０に示したように受光パターン信号と照度を示す信号とを分離することができる。
【００６０】
また、上述した実施例では、比較部１６で１回の論理積の結果で顔向きを判断していたが、連続した複数回の論理積の結果で判断してもよい。例えば、連続して複数回肯定出力がされた場合は顔が向いていると判断したり、連続して複数回否定出力がされた場合は顔が向いていないと判断してもよい。このようにすることで、使用者１００が確実に視認していることを検出してから表示部１８を明るくすることができたり、使用者１００が確実に視認していないことを検出してから表示手段を暗くすることができたりする。そのため誤検出を少なくすることができる。
【００６１】
また、電源制御部１７においても顔が向いていることを連続して検出した回数に応じて徐々に表示部１８を明るくしたり、顔が向いていないことを連続して検出した回数に応じて徐々に表示部１８を暗くしたりしてもよい。このようにすることで、短時間に視認の際にはあまり明るくしないようにしたり、短時間顔を背けた場合などではあまり暗くしないようにすることができる。
【００６２】
また、中央制御部１ａへ比較部１６の結果を入力することで、顔が向いていない場合には操作部１ｂからの操作を受付けないようにすることができる。即ち、中央制御部１ａを操作制御手段として機能させる。このようにすることにより、使用者１００が視認していない場合は操作部１ｂの操作も制限することができるので、ポケットや鞄に入れた際に誤って操作させて無駄な電力を消費することを少なくすことができる。さらに、使用者１００以外が勝手に操作することも防止することができる。
【００６３】
前述した実施例によれば、以下の情報表示装置３０が得られる。
【００６４】
（付記１）映像などを表示可能な表示部１８および操作部１ｂを備えている情報表示装置３０において、
使用者１００の頭部に装着され、入力信号に応じて発光し、光を出力する発光部２７と、
発光部２７を周期的に発光させるための発光タイミングを示す発光パターン信号を生成し、前記入力信号として発光部２７に出力する発光制御回路１２と、
発光部２７により出力された光を受光し、受光タイミングを示す受光パターン信号を出力する受光部１５と、
発光制御回路１２によって出力された発光パターン信号と受光部１５によって出力された受光パターン信号とを比較し、発光タイミングと受光タイミングとが一致しているか否かを判断する比較部１６と、
比較部１６が、発光タイミングと受光タイミングとが一致していると判断した場合に表示部１８の表示を明るくさせ、発光タイミングと受光タイミングとが一致していない場合は、表示部１８の表示を暗くさせるように変更する電源制御部１７と、
を備えたことを特徴とする情報表示装置３０。
【００６５】
この情報表示装置３０によれば、例えば小さいパルス幅からなる複数のパルス信号や高周波の複数のサイン波からなる信号などの発光パターンを出力することで光として常時出力状態としないために消費電力を抑えることができる。
【００６６】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００６７】
１０      携帯端末
１２      発光制御回路（発光パターン信号出力手段）
１３      加算器（出力手段）
１５      受光部（受光手段）
１５´    照度センサ（受光部）
１６      比較部（判断手段）
１７      電源制御部（表示制御手段）
１８      表示部（表示手段）
１ａ      中央制御部（操作制御手段）
１ｂ      操作部（操作手段）
２０      ヘッドホン（ヘッドホン装置）
２６      ＨＰＦ（第一分離手段）
２７      発光部（発光手段）
３０      情報表示装置
８１      高域通過フィルタ（第二分離手段）
８２      低域通過フィルタ（第二分離手段）
【図１】
2011197169.tif 000003
【図２】
2011197169.tif 000004
【図３】
2011197169.tif 000005
【図４】
2011197169.tif 000006
【図５】
2011197169.tif 000007
【図６】
2011197169.tif 000008
【図７】
2011197169.tif 000009
【図８】
2011197169.tif 000010
【図９】
2011197169.tif 000011
【図１０】
2011197169.tif 000012